(57)【要約】【課題】除菌力、及び油汚れに対する洗浄力により優れる食器洗い機用洗浄剤組成物を提供すること。【解決手段】（Ａ）成分、（Ｂ）成分、（Ｃ）成分、及び（Ｄ）成分を含み、前記（Ａ）成分がアニオン界面活性剤であり、前記（Ｂ）成分が特定のトリアミン化合物であり、前記（Ｃ）成分がキレート剤であり、前記（Ｄ）成分がアミン型界面活性剤（ｄ１）（ただし、前記（Ｂ）成分を除く）、両性界面活性剤（ｄ２）、アミンオキシド型界面活性剤（ｄ３）、及び四級アンモニウム塩型界面活性剤（ｄ４）からなる群から選択される少なくとも１種であり、前記（Ｄ）成分／前記（Ｂ）成分で表される質量比が０．０５〜４００である、食器洗い機用洗浄剤組成物。【選択図】なし【特許請求の範囲】
【請求項１】
（Ａ）成分、（Ｂ）成分、（Ｃ）成分、及び（Ｄ）成分を含み、
前記（Ａ）成分がアニオン界面活性剤であり、
前記（Ｂ）成分が下記式（ｂ−１）で表される化合物であり、
前記（Ｃ）成分がキレート剤であり、
前記（Ｄ）成分がアミン型界面活性剤（ｄ１）（ただし、前記（Ｂ）成分を除く）、両性界面活性剤（ｄ２）、アミンオキシド型界面活性剤（ｄ３）、及び四級アンモニウム塩型界面活性剤（ｄ４）からなる群から選択される少なくとも１種であり、
前記（Ｄ）成分／前記（Ｂ）成分で表される質量比が０．０５〜４００である、食器洗い機用洗浄剤組成物。
Ｒ１−Ｎ（（ＣＨ２）ｎＮＨ２）２  ・・・（ｂ−１）
（式（ｂ−１）中、Ｒ１は炭素数８〜１８の直鎖のアルキル基、炭素数８〜１８の分岐鎖のアルキル基、炭素数８〜１８の直鎖のアルケニル基、又は炭素数８〜１８の分岐鎖のアルケニル基であり；ｎは２〜６の整数である。）
【請求項２】
前記（Ｄ）成分が前記アミン型界面活性剤（ｄ１）を含み、
前記アミン型界面活性剤（ｄ１）が下記式（ｄ−１）で表される化合物である、請求項１に記載の食器洗い機用洗浄剤組成物。
Ｒ２Ｒ３Ｒ４Ｎ  ・・・（ｄ−１）
（式（ｄ−１）中、Ｒ２、Ｒ３、及びＲ４はＮ上の置換基であり、Ｒ２は水素、炭素数１〜４のアルキル基、炭素数１〜４のヒドロキシアルキル基、炭素数８〜２１のアルキル基、又は炭素数８〜２１のアルケニル基であり；Ｒ３は水素、炭素数１〜４のアルキル基、炭素数１〜４のヒドロキシアルキル基、又は炭素数１〜４のアミノアルキル基であり；Ｒ４は炭素数８〜２１のアルキル基、炭素数８〜２１のアルケニル基、炭素数１〜４のアミノアルキル基、又はＲ５−Ｘ−（ＣＨ２）ｍ−で表される基であり；Ｒ５は炭素数８〜２１の直鎖のアルキル基、炭素数８〜２１の直鎖のアルケニル基、炭素数８〜２１の分岐鎖のアルキル基、又は炭素数８〜２１の分岐鎖のアルケニル基であり；Ｘは−Ｏ−、−Ｃ（Ｏ）ＮＲ６−、又は−ＮＨ−であり；Ｒ６は水素原子、炭素数１〜４のアルキル基、又は炭素数１〜４のヒドロキシアルキル基であり；ｍは１〜５の整数である。）
【請求項３】
前記（Ａ）成分／［前記（Ｂ）成分＋前記（Ｄ）成分］で表される質量比が、０．０１〜２０である、請求項１又は２に記載の食器洗い機用洗浄剤組成物。
【請求項４】
界面活性剤の総量が、食器洗い機用洗浄剤組成物の総質量に対し、０．１〜１０質量％である、請求項１〜３のいずれか一項に記載の食器洗い機用洗浄剤組成物。
【請求項５】
前記（Ｃ）成分の含有量が、食器洗い機用洗浄剤組成物の総質量に対し、酸換算で８質量％以上である、請求項１〜４のいずれか一項に記載の食器洗い機用洗浄剤組成物。
【発明の詳細な説明】
【技術分野】
【０００１】
本発明は、食器洗い機用洗浄剤組成物に関する。
【背景技術】
【０００２】
近年、ホテル、レストラン、給食センター等の厨房だけではなく、一般家庭においても、食器、調理器具等（洗浄対象物）を洗浄するための食器洗い機が普及してきている。食器洗い機による洗浄には、一般に、専用の洗浄剤（食器洗い機用洗浄剤）が用いられる。
食器洗い機庫内のように湿度の高い環境下では微生物が繁殖しやすい。そのため、食器洗い機用洗浄剤には除菌力が求められる。
また、食器洗い機用洗浄剤には油汚れに対する高い洗浄力が求められる。
【０００３】
例えば、特許文献１は、アミン化合物、アルカリ化合物、及び水を含む洗浄剤組成物について提案している。特許文献１の洗浄剤組成物によれば、バイオフィルム抑制効果や、油汚れに対する洗浄力が得られる。
【先行技術文献】
【特許文献】
【０００４】
【特許文献１】特開２０１６−１８３２４２号公報
【発明の概要】
【発明が解決しようとする課題】
【０００５】
しかしながら、特許文献１の液体洗浄剤では、除菌力、及び油汚れに対する洗浄力のいずれも充分ではない。
【０００６】
本発明は、上記事情に鑑みてなされたものであり、除菌力、及び油汚れに対する洗浄力により優れる食器洗い機用洗浄剤組成物を提供することを目的とする。
【課題を解決するための手段】
【０００７】
本発明の液体洗浄剤組成物は、以下の態様を含む。
［１］  （Ａ）成分、（Ｂ）成分、（Ｃ）成分、及び（Ｄ）成分を含み、
前記（Ａ）成分がアニオン界面活性剤であり、
前記（Ｂ）成分が下記式（ｂ−１）で表される化合物であり、
前記（Ｃ）成分がキレート剤であり、
前記（Ｄ）成分がアミン型界面活性剤（ｄ１）（ただし、前記（Ｂ）成分を除く）、両性界面活性剤（ｄ２）、アミンオキシド型界面活性剤（ｄ３）、及び四級アンモニウム塩型界面活性剤（ｄ４）からなる群から選択される少なくとも１種であり、
前記（Ｄ）成分／前記（Ｂ）成分で表される質量比が０．０５〜４００である、食器洗い機用洗浄剤組成物。
Ｒ１−Ｎ（（ＣＨ２）ｎＮＨ２）２  ・・・（ｂ−１）
（式（ｂ−１）中、Ｒ１は炭素数８〜１８の直鎖のアルキル基、炭素数８〜１８の分岐鎖のアルキル基、炭素数８〜１８の直鎖のアルケニル基、又は炭素数８〜１８の分岐鎖のアルケニル基であり；ｎは２〜６の整数である。）
［２］  前記（Ｄ）成分が前記アミン型界面活性剤（ｄ１）を含み、
前記アミン型界面活性剤（ｄ１）が下記式（ｄ−１）で表される化合物である、［１］に記載の食器洗い機用洗浄剤組成物。
Ｒ２Ｒ３Ｒ４Ｎ  ・・・（ｄ−１）
（式（ｄ−１）中、Ｒ２、Ｒ３、及びＲ４はＮ上の置換基であり、Ｒ２は水素、炭素数１〜４のアルキル基、又は炭素数１〜４のヒドロキシアルキル基、炭素数８〜２１のアルキル基、又は炭素数８〜２１のアルケニル基であり；Ｒ３は水素、炭素数１〜４のアルキル基、炭素数１〜４のヒドロキシアルキル基、又は炭素数１〜４のアミノアルキル基であり；Ｒ４は炭素数８〜２１のアルキル基、炭素数８〜２１のアルケニル基、炭素数１〜４のアミノアルキル基、又はＲ５−Ｘ−（ＣＨ２）ｍ−で表される基であり；Ｒ５は炭素数８〜２１の直鎖のアルキル基、炭素数８〜２１の直鎖のアルケニル基、炭素数８〜２１の分岐鎖のアルキル基、又は炭素数８〜２１の分岐鎖のアルケニル基であり；Ｘは−Ｏ−、−Ｃ（Ｏ）ＮＲ６−、又は−ＮＨ−であり；Ｒ６は水素原子、炭素数１〜４のアルキル基、又は炭素数１〜４のヒドロキシアルキル基であり；ｍは１〜５の整数である。）
［３］  前記（Ａ）成分／［前記（Ｂ）成分＋前記（Ｄ）成分］で表される質量比が、０．０１〜２０である、［１］又は［２］に記載の食器洗い機用洗浄剤組成物。
［４］  界面活性剤の総量が、食器洗い機用洗浄剤組成物の総質量に対し、０．１〜１０質量％である、［１］〜［３］のいずれか一項に記載の食器洗い機用洗浄剤組成物。
［５］  前記（Ｃ）成分の含有量が、食器洗い機用洗浄剤組成物の総質量に対し、酸換算で８質量％以上である、［１］〜［４］のいずれか一項に記載の食器洗い機用洗浄剤組成物。
【発明の効果】
【０００８】
本発明の食器洗い機用洗浄剤組成物は、除菌力、及び油汚れに対する洗浄力により優れる。
【発明を実施するための形態】
【０００９】
≪食器洗い機用洗浄剤組成物≫
本発明の食器洗い機用洗浄剤組成物は、（Ａ）成分、（Ｂ）成分、（Ｃ）成分、及び（Ｄ）成分を含む。
【００１０】
＜（Ａ）成分＞
（Ａ）成分はアニオン界面活性剤である。（Ａ）成分としては、スルホン酸塩タイプ、硫酸エステル塩タイプ、カルボン酸塩タイプ、リン酸エステルタイプが挙げられる。
スルホン酸塩タイプとしては、アルキルベンゼンスルホン酸塩、アルカンスルホン酸塩、α−オレフィンスルホン酸塩、α−スルホ脂肪酸塩、α−スルホ脂肪酸アルキルエステル塩、アルキルスルホコハク酸塩、ジアルキルスルホコハク酸等が挙げられる。
硫酸エステル塩タイプとしては、アルキル硫酸エステル塩、アルケニル硫酸エステル塩、ポリオキシアルキレンアルキルエーテル硫酸エステル塩、ポリオキシアルキレンアルケニルエーテル硫酸エステル塩等が挙げられる。
カルボン酸塩タイプとしては、アルキルエーテルカルボン酸塩、アミドエーテルカルボン酸塩、スルホコハク酸塩、アミノ酸系アニオン界面活性剤等が挙げられる。
（Ａ）成分は、炭素数８〜１８のアルキル基又は炭素数８〜１８のアルケニル基を有することが好ましく、炭素数８〜１８のアルキル基が好ましい。当該アルキル基又は当該アルケニル基は、直鎖状であってもよく、分岐鎖状であってもよい。
なかでも、油再汚染抑制および茶渋洗浄力の点、低泡性が確保しやすいことからスルホン酸塩タイプが好ましく、中でもアルカンスルホン酸塩およびジアルキルスルホコハク酸塩が好ましく、アルカンスルホン酸塩がより好ましい。
アニオン界面活性剤を構成する塩としては、ナトリウム、カリウム、マグネシウム、カルシウム等の金属塩等があげられる。
アルカンスルホン酸塩の具体例としては、テトラデカンスルホン酸ナトリウム、ヘキサデカンスルホン酸ナトリウム、及びオクタデカンスルホン酸ナトリウム等が挙げられる。
これらの中でも、炭素数１４以上、１７以下の２級アルカンスルホン酸ナトリウムの混合物が好ましい。
市販品としては、クラリアントジャパン社製  ＨＯＳＴＡＰＵＲ  ＳＡＳ３０Ａ、バイエル社製ＭＥＲＳＯＬＡＴＥ  Ｈ−９５、花王株式会社製ラムテルＰＳ等が挙げられる。
【００１１】
（Ａ）成分は、１種単独で用いてもよいし、２種以上を併用してもよい。
（Ａ）成分の含有量は、食器洗い機用洗浄剤組成物の総質量に対して、０．０１〜５質量％が好ましく、０．１〜５質量％がより好ましく、０．１〜３質量％がさらに好ましい。
（Ａ）成分の含有量が上記上限値以下であると、泡立ちを抑制しやすい。
（Ａ）成分の含有量が上記下限値以上であると、油汚れに対する洗浄力を向上しやすい。
【００１２】
＜（Ｂ）成分＞
（Ｂ）成分は下記式（ｂ−１）で表される化合物である。
Ｒ１−Ｎ（（ＣＨ２）ｎＮＨ２）２  ・・・（ｂ−１）
（式（ｂ−１）中、Ｒ１は炭素数８〜１８の直鎖のアルキル基、炭素数８〜１８の分岐鎖のアルキル基、炭素数８〜１８の直鎖のアルケニル基、又は炭素数８〜１８の分岐鎖のアルケニル基であり；ｎは２〜６の整数である。）
【００１３】
（Ｂ）成分としては、例えば、Ｎ−（３−アミノプロピル）−Ｎ−デシルプロパン−１，３−ジアミン、Ｎ−（３−アミノプロピル）−Ｎ−ドデシルプロパン−１，３−ジアミン、Ｎ−（３−アミノエチル）−Ｎ−ドデシルプロパン−１，３−ジアミン、Ｎ−（３−アミノプロピル）−Ｎ−テトラデシルプロパン−１，３−ジアミン等が挙げられる。油汚れに対する洗浄力、除菌力の面からＮ−（３−アミノプロピル）−Ｎ−ドデシルプロパン−１，３−ジアミンが好ましい。
【００１４】
（Ｂ）成分は、１種単独で用いてもよいし、２種以上を併用してもよい。
（Ｂ）成分の含有量は、食器洗い機用洗浄剤組成物の総質量に対して０．００１〜１質量％が好ましく、０．０１〜０．５質量％がより好ましく、０．０１〜０．１質量％がさらに好ましい。
（Ｂ）成分の含有量が上記上限値以下であると、油汚れに対する洗浄力を向上しやすい。
（Ｂ）成分の含有量が上記下限値以上であると、除菌力を向上しやすい。
【００１５】
＜（Ｃ）成分＞
（Ｃ）成分はキレート剤である。
（Ｃ）成分としては、特に限定されず、これまで食器洗い機用洗浄剤に用いられる一般的なキレート剤のいずれも用いることができる。
除菌力がより高まることから、（Ｃ）成分として低分子キレート剤が好適に挙げられる。低分子キレート剤としては、例えば、エチレンジアミン四酢酸、ニトリロ三酢酸、β−アラニン二酢酸、エチレンジアミン二コハク酸、Ｌ−アスパラギン酸−Ｎ，Ｎ−二酢酸、ジヒドロキシエチルエチレンジアミン二酢酸、ヒドロキシエチルイミノ二酢酸、クエン酸、ヒドロキシエチルエチレンジアミン三酢酸、グリコールエーテルジアミン四酢酸、Ｌ−グルタミン酸二酢酸、１，３−ジアミノ−２−ヒドロキシプロパン四酢酸、ジエチレントリアミン五酢酸、トリエチレンテトラミン六酢酸、ジヒドロキシエチルグリシン、３−ヒドロキシ−２，２’−イミノジコハク酸、セリン二酢酸、アスパラギン二酢酸、メチルグリシン二酢酸、ヒドロキシエタンジホスホン酸、アミノトリメチレンホスホン酸、トリポリリン酸、又はこれらの塩などが挙げられる。低分子キレート剤を構成する塩としては、アルカリ金属塩が好ましく、ナトリウム塩、カリウム塩がより好ましい。
なかでも、低分子キレート剤は、除菌力が高まりやすいことから、エチレンジアミン四酢酸、ニトリロ三酢酸、β−アラニン二酢酸、エチレンジアミン二コハク酸、Ｌ−アスパラギン酸−Ｎ，Ｎ−二酢酸、ジヒドロキシエチルエチレンジアミン二酢酸、ヒドロキシエチルイミノ二酢酸、クエン酸、ヒドロキシエチルエチレンジアミン三酢酸、グリコールエーテルジアミン四酢酸、Ｌ−グルタミン酸二酢酸、１，３−ジアミノ−２−ヒドロキシプロパン四酢酸、ジエチレントリアミン五酢酸、トリエチレンテトラミン六酢酸、ジヒドロキシエチルグリシン、３−ヒドロキシ−２，２’−イミノジコハク酸、セリン二酢酸、アスパラギン二酢酸、メチルグリシン二酢酸、及びこれらの塩からなる群より選ばれる１種以上のキレート剤を用いるのが好ましい。
さらにクエン酸、Ｌ−グルタミン酸二酢酸、メチルグリシン二酢酸、ジエチレントリアミン五酢酸、エチレンジアミン四酢酸又はこれらの塩が好ましく、クエン酸、エチレンジアミン四酢酸又はその塩が特に好ましい。
【００１６】
（Ｃ）成分は、１種単独で用いてもよいし、２種以上を併用してもよい。
（Ｃ）成分の含有量は、食器洗い機用洗浄剤組成物の総質量に対して、酸換算として８質量％以上が好ましく、酸換算として１０〜２５質量％がより好ましく、酸換算として１０〜１８質量％がさらに好ましく、酸換算として１２〜１８質量％が特に好ましい。
（Ｃ）成分の含有量が上記範囲内であると、除菌力、油汚れに対する洗浄力を向上しやすい。
【００１７】
＜（Ｄ）成分＞
（Ｄ）成分は、アミン型界面活性剤（ｄ１）（ただし、（Ｂ）成分を除く）（以下、「（ｄ１）成分」ともいう）、両性界面活性剤（ｄ２）（以下、「（ｄ２）成分」ともいう）、アミンオキシド型界面活性剤（ｄ３）（以下、「（ｄ３）成分」ともいう）、及び四級アンモニウム塩型界面活性剤（ｄ４）（以下、「（ｄ４）成分」ともいう）からなる群から選択される少なくとも１種である。
【００１８】
［（ｄ１）成分］
（ｄ１）成分は、界面活性剤として機能する第１級アミン、第２級アミン、又は第３級アミンである（ただし、（Ｂ）成分に該当するものは含まない）。
（ｄ１）成分としては、下記式（ｄ−１）で表される化合物が好ましい。
Ｒ２Ｒ３Ｒ４Ｎ  ・・・（ｄ−１）
（式（ｄ−１）中、Ｒ２、Ｒ３、及びＲ４はＮ上の置換基であり、Ｒ２は水素、炭素数１〜４のアルキル基、炭素数１〜４のヒドロキシアルキル基、炭素数８〜２１のアルキル基、又は炭素数８〜２１のアルケニル基であり；Ｒ３は水素、炭素数１〜４のアルキル基、炭素数１〜４のヒドロキシアルキル基、又は炭素数１〜４のアミノアルキル基であり；Ｒ４は炭素数８〜２１のアルキル基、炭素数８〜２１のアルケニル基、炭素数１〜４のアミノアルキル基、又はＲ５−Ｘ−（ＣＨ２）ｍ−で表される基であり；Ｒ５は炭素数８〜２１の直鎖のアルキル基、炭素数８〜２１の直鎖のアルケニル基、炭素数８〜２１の分岐鎖のアルキル基、又は炭素数８〜２１の分岐鎖のアルケニル基であり；Ｘは−Ｏ−、−Ｃ（Ｏ）ＮＲ６−、又は−ＮＨ−であり；Ｒ６は水素原子、炭素数１〜４のアルキル基、又は炭素数１〜４のヒドロキシアルキル基であり；ｍは１〜５の整数である。）
式（ｄ−１）で表される化合物は、炭素数８〜２１のアルキル基又はアルケニル基を分子内に少なくとも１つ以上、好ましくは１〜２個含むことが好ましい。
【００１９】
なかでも、下記式（ｄ−１−１）で表される化合物が好ましい。
【００２０】
【化１】
2019182904.tif 000002
【００２１】
（式（ｄ−１−１）中、Ｒ７は炭素数１３〜２１の直鎖のアルキル基、炭素数１３〜２１の分岐鎖のアルキル基、炭素数１３〜２１の直鎖のアルケニル基、又は炭素数１３〜２１の分岐鎖のアルケニル基であり；Ｒ８は、水素原子、炭素数１〜４のアルキル基、又は炭素数１〜４のヒドロキシアルキル基であり；Ｒ９は、炭素数１〜４のアルキレン基であり；Ｒ１０及びＲ１１は、それぞれ独立に水素原子又は炭素数１〜４のアルキル基である。）
【００２２】
式（ｄ−１−１）中、Ｒ７は、炭素数１３〜２１の直鎖状又は分岐鎖状のアルキル基が好ましい。Ｒ７におけるアルキル基及びアルケニル基の炭素数は、それぞれ１３〜２１であり、抑泡効果がより高まることから、好ましくは１５〜２１であり、より好ましくは１５〜１９である。
Ｒ８におけるヒドロキシアルキル基中のヒドロキシ基の数は、１つでも２つ以上でもよい。なかでも、Ｒ８としては、水素原子、炭素数１〜４のアルキル基が好ましく、水素原子、メチル基がより好ましく、水素原子が特に好ましい。
Ｒ９におけるアルキレン基の炭素数は、１〜４であり、好ましくは１〜３であり、より好ましくは２又は３であり、特に好ましくは３である。Ｒ１０及びＲ１１におけるアルキル基の炭素数は、それぞれ１〜４であり、好ましくは１〜３であり、より好ましくは１又は２であり、特に好ましくは１である。なかでも、Ｒ１０及びＲ１１は、それぞれ炭素数１〜４のアルキル基が好ましく、互いに同一であることが好ましい。
式（ｄ−１−１）で表される化合物の具体例としては、抑泡効果がより得られやすいことから、ミリスチン酸ジメチルアミノプロピルアミド、パルミチン酸ジメチルアミノプロピルアミド、ステアリン酸ジメチルアミノプロピルアミド、ベヘン酸ジメチルアミノプロピルアミドが好ましく、パルミチン酸ジメチルアミノプロピルアミド、ステアリン酸ジメチルアミノプロピルアミド、ベヘン酸ジメチルアミノプロピルアミドがさらに好ましく、パルミチン酸ジメチルアミノプロピルアミド、ステアリン酸ジメチルアミノプロピルアミドが特に好ましい。
【００２３】
式（ｄ−１−１）で表される化合物以外の（ｄ１）成分としては、例えば、ヤシアルキルアミン、牛脂アルキルアミン、オレイルアミン、オクチルアミン、ドデシルアミン、オクタデシルアミン、ジ硬化牛脂アルキルアミン、ヤシアルキルジメチルアミン、牛脂アルキルジメチルアミン、ドデシルジメチルアミン、ヘキサデシルジメチルアミン、オクタデシルジメチルアミン、ベヘニルジメチルアミン、ジオレイルメチルアミン、ジデシルメチルアミン、Ｎ−ヤシアルキルー１，３−ジアミノプロパン、Ｎ−牛脂アルキル−１，３−ジアミノプロパン、Ｎ−硬化牛脂アルキル−１，３−ジアミノプロパン、３，３’−ジアミノ−N−メチルジプロピルアミン等が挙げられる。
【００２４】
［（ｄ２）成分］
（ｄ２）成分は、両性界面活性剤である。
なかでも、下記式（ｄ−２）で表される化合物が好ましい。
Ｒ１２−（Ａ）ｐ−Ｎ＋（−Ｒ１３）（−Ｒ１４）−Ｒ１５−Ｒ１６  ・・・（ｄ−２）
（式（ｄ−２）中、Ｒ１２は炭素数８〜１８の直鎖又は分岐鎖のアルキル基であり；Ｒ１３及びＲ１４はそれぞれ独立に、炭素数１〜３のアルキル基又はヒドロキシアルキル基であり；Ａは−Ｃ＝Ｏ（−ＮＨ−Ｘ）−であり；Ｘは炭素数１〜４のアルキレン基であり；ｐは０又は１の数であり；Ｒ１５は炭素数１〜２のアルキレン基であり；Ｒ１６は−ＣＯ２−又は−ＳＯ３−である。）
（ｄ２）成分としては、例えば、オクタン酸アミドプロピルジメチルアミノ酢酸ベタイン、デカン酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、ステアリン酸アミドプロピルジメチルアミノ酢酸ベタイン、オレイン酸アミドプロピルジメチルアミノ酢酸ベタイン、ヤシ油脂肪酸アミドプロピルジメチルアミノ酢酸ベタイン、パーム油脂肪酸アミドプロピルジメチルアミノ酢酸ベタイン、パーム核油脂肪酸アミドプロピルジメチルアミノ酢酸ベタイン、オクチルジメチルアミノ酢酸ベタイン、デシルジメチルアミノ酢酸ベタイン、ラウリルジメチルアミノ酢酸ベタイン、ミリスチルジメチルアミノ酢酸ベタイン、ステアリルジメチルアミノ酢酸ベタイン、オレイルジメチルアミノ酢酸ベタイン、オクタン酸アミドプロピルヒドロキシスルホベタイン、デカン酸アミドプロピルヒドロキシスルホベタイン、ラウリン酸アミドプロピルヒドロキシスルホベタイン、ミリスチン酸アミドプロピルヒドロキシスルホベタイン、ステアリン酸アミドプロピルヒドロキシスルホベタイン、オレイン酸アミドプロピルヒドロキシスルホベタイン、ヤシ油脂肪酸アミドプロピルヒドロキシスルホベタイン、パーム油脂肪酸アミドプロピルヒドロキシスルホベタイン、パーム核油脂肪酸アミドプロピルヒドロキシスルホベタイン、オクチルヒドロキシスルホベタイン、デシルヒドロキシスルホベタイン、ラウリルヒドロキシスルホベタイン、ミリスチルヒドロキシスルホベタイン、ステアリルヒドロキシスルホベタイン、オレイルヒドロキシスルホベタイン等が挙げられる。
【００２５】
［（ｄ３）成分］
（ｄ３）成分は、アミンオキシド型界面活性剤である。
なかでも、下記式（ｄ−３）で表される化合物が好ましい。
【００２６】
【化２】
2019182904.tif 000003
【００２７】
（式（ｄ−３）中、Ｒ１７は、炭素数８〜１８の直鎖のアルキル基、炭素数８〜１８の分岐鎖のアルキル基、炭素数８〜１８の直鎖のアルケニル基、又は炭素数８〜１８の分岐鎖のアルケニル基であり；Ｒ１９、及びＲ２０は、それぞれ独立して、炭素数１〜３のアルキル基、又は炭素数１〜３のヒドロキシアルキル基であり；Ｒ１８は炭素数１〜４のアルキレン基であり；Ｂは−ＣＯＮＨ−、−ＮＨＣＯ−、−ＣＯＯ−、−ＯＣＯ−又は−Ｏ−であり；ｒは０又は１の数であり；Ｚ−は対イオンである。）
（ｄ３）成分としては、例えば、ラウリルジメチルアミンオキシド、ヤシアルキルジメチルアミンオキシド、ｎ−ドデシルジメチルアミンオキシド等のアルキルジメチルアミンオキシド；ラウリルジエチルアミンオキシド等のアルキルジエチルアミンオキシド；ラウリン酸アミドプロピルジメチルアミンオキシド等のアルカノイルアミドアルキルジメチルアミンオキシド等が挙げられる。
【００２８】
［（ｄ４）成分］
（ｄ４）成分は四級アンモニウム塩型界面活性剤である。
（ｄ４）成分としては、例えばテトラメチルアンモニウム塩、テトラエチルアンモニウム塩、テトラプロピルアンモニウム塩、テトラブチルアンモニウム塩等のテトラ短鎖（炭素数１〜４のアルキル）アンモニウム塩；オクチルトリメチルアンモニウム塩、デシルトリメチルアンモニウム塩、ドデシルトリメチルアンモニウム塩、テトラデシルトリメチルアンモニウム塩、ラウリルトリメチルアンモニウム塩、セチルトリメチルアンモニウム塩、パルミチルトリメチルアンモニウム塩、ステアリルトリメチルアンモニウム塩、オクチルジメチルエチルアンモニウム塩、デシルジメチルエチルアンモニウム塩、ドデシルジメチルエチルアンモニウム塩、テトラデシルジメチルエチルアンモニウム塩、ラウリルジメチルエチルアンモニウム塩、セチルジメチルエチルアンモニウム塩、ステアリルジメチルエチルアンモニウム塩、オクチルジエチルメチルアンモニウム塩、デシルジエチルメチルアンモニウム塩、ドデシルジエチルメチルアンモニウム塩、テトラデシルジエチルメチルアンモニウム塩、セチルジエチルメチルアンモニウム塩、ステアリルジエチルメチルアンモニウム塩等の長鎖（炭素数８〜１８のアルキル）トリ短鎖（炭素数１又は２のアルキル）アンモニウム塩；ジオクチルジメチルアンモニウム塩、ジデシルジメチルアンモニウム塩、ジドデシルジメチルアンモニウム塩、ジテトラデシルジメチルアンモニウム塩、ジセチルジメチルアンモニウム塩、ジステアリルジメチルアンモニウム塩、ジオクチルメチルエチルアンモニウム塩、ジデシルメチルエチルアンモニウム塩、ジドデシルメチルエチルアンモニウム塩、ジテトラデシルメチルエチルアンモニウム塩、ジセチルメチルエチルアンモニウム塩、ジステアリルメチルエチルアンモニウム塩等のジ長鎖（炭素数８〜１８のアルキル）ジ短鎖（炭素数１又は２のアルキル）アンモニウム塩；ステアリルジメチルヒドロキシエチルアンモニウム等の長鎖（炭素数８〜１８のアルキル）ジ短鎖（炭素数１又は２のアルキル）ヒドロキシアルキル（炭素数１又は２）アンモニウム塩；［３（トリメトキシシリル）］プロピル（ジメチル）オクタデシルアンモニウム塩等のトリアルコキシシリルアルキル基（炭素数４〜１０）を有するジ短鎖（炭素数１又は２のアルキル）長鎖（炭素数８〜１８のアルキル）アンモニウム塩；アミンナイトレート；ベンジルトリメチルアンモニウム塩；ベンザルコニウム塩；ベンゼトニウム塩等が挙げられる。
これらの中でも長鎖（炭素数８〜１８のアルキル）トリ短鎖（炭素数１又は２のアルキル）アンモニウム塩、ジ長鎖（炭素数８〜１８のアルキル）ジ短鎖（炭素数１又は２のアルキル）アンモニウム塩、ベンジルトリメチルアンモニウム塩、ベンザルコニウム塩、ベンゼトニウム塩等が好ましく、長鎖（炭素数８〜１８のアルキル）トリ短鎖（炭素数１又は２のアルキル）アンモニウム塩、ジ長鎖（炭素数８〜１２のアルキル）ジ短鎖（炭素数１又は２のアルキル）アンモニウム塩がより好ましい。
【００２９】
塩としては、塩素、臭素、ヨウ素等のハロゲン化物；水酸化物；炭素数１〜５のスルホン酸エステル、硫酸エステル、硝酸エステル等が挙げられる。
【００３０】
（Ｄ）成分は、１種単独で用いてもよいし、２種以上を併用してもよい。
（Ｄ）成分の含有量は、食器洗い機用洗浄剤組成物の総質量に対して、０．０１〜５質量％が好ましく、０．１〜５質量％がより好ましく、０．１〜３質量％がさらに好ましい。
（Ｄ）成分の含有量が上記上限値以下であると、油汚れに対する洗浄力を向上しやすい。
（Ｄ）成分の含有量が上記下限値以上であると、除菌力を向上しやすい。
【００３１】
（Ｄ）成分／（Ｂ）成分で表される質量比（以下、「Ｄ／Ｂ比」ともいう）は、０．０５〜４００であり、４〜５５がより好ましい。
Ｄ／Ｂ比が上記上限値以下であると、除菌力を向上しやすい。
Ｄ／Ｂ比が上記下限値以上であると、油汚れに対する洗浄力を向上しやすい。
【００３２】
（Ａ）成分／［（Ｂ）成分＋（Ｄ）成分］で表される質量比（以下、「Ａ／（Ｂ＋Ｄ）比」ともいう）は、０．０１〜２０が好ましく、０．１〜５がより好ましく、０．５〜２がさらに好ましい。
Ａ／（Ｂ＋Ｄ）比が上記上限値以下であると、除菌力を向上しやすい。
Ａ／（Ｂ＋Ｄ）比が上記下限値以上であると、油汚れに対する洗浄力を向上しやすい。
【００３３】
＜任意成分＞
本発明の食器洗い機用洗浄剤組成物には、本発明の目的に反しない限り、食器を洗浄するための洗浄剤に通常含まれる如何なる成分も含むことができる。例えば、酸性増粘多糖類、水、有機溶剤、酵素、植物抽出エキス、吸油剤、消泡剤、食器保護剤、増粘剤、着色剤、ノニオン性界面活性剤、ハイドロトロープ剤、酸化防止剤、ｐＨ調整剤、着色剤、香料、漂白剤のような通常、食器洗い機用洗浄剤に用いられる物質を使用できる。
【００３４】
酸性増粘多糖類とはグルコースの酸化物であるグルクロン酸、ガラクトースの酸化物であるガラクツロン酸、マンノースの酸化物であるマンヌロン酸などの単糖類酸化物が結合した多糖類が挙げられる。酸性増粘多糖類を含有することで組成物の粘度を高めやすくなる。
酸性増粘多糖類としては、キサンタンガム、ジェランガム、カラギーナン、ペクチン、大豆多糖類、アルギン酸、アラビアガム、カラヤガム、トラガントガム、ヒアルロン酸等が挙げられる。
なかでも、キサンタンガム、ジェランガム、カラギーナンが好ましく、キサンタンガム、ジェランガムがより好ましい。
本発明の食器洗い機用洗浄剤組成物が酸性増粘多糖類を含む場合、酸性増粘多糖類の含有量は、食器洗い機用洗浄剤組成物の総質量に対して、０．０５〜１．５質量％が好ましく、０．１〜１質量％がより好ましく、０．２〜１質量％がさらに好ましい。
【００３５】
界面活性剤の総量は、食器洗い機用洗浄剤組成物の総質量に対して、０．１〜１０質量％が好ましく、０．２〜６質量％がより好ましく、１．０〜３．５質量％がさらに好ましい。
界面活性剤の総量が上記上限値以下であると、洗浄時の泡立ちを抑制しやすい。
界面活性剤の総量が上記下限値以上であると、油汚れに対する洗浄力を向上しやすい。
【００３６】
本発明の食器洗い機用洗浄剤組成物の２５℃におけるｐＨは、食器洗い機に対する腐食性の点から、５以上が好ましい。また、低泡性の点から、１１以下が好ましい。より好ましくは６〜１０である。
本発明において、食器洗い機用洗浄剤組成物のｐＨは、食器洗い機用洗浄剤組成物を２５℃に調整し、ｐＨメーター等により測定される値を示す。
【００３７】
≪食器洗い機用洗浄剤組成物の製造方法≫
本発明の食器洗い機用洗浄剤組成物は、特に限定されず、従来公知の製造方法を用いることができる。
液体状の食器洗い機用洗浄剤組成物の製造方法としては、（Ａ）成分と、（Ｂ）成分と、（Ｃ）成分と、（Ｄ）成分と、必要に応じて任意成分とを混合することにより調製される。
【００３８】
≪食器洗い機用洗浄剤組成物の使用方法≫
本発明の食器洗い機用洗浄剤組成物は、食器洗い機の機種や、食器等の汚れの程度に応じて使用すればよい。
食器洗い機用洗浄剤組成物を用いて食器洗い機により洗浄対象物を洗浄する方法としては、洗浄とすすぎの各工程をいずれも有する方法が挙げられる。
洗浄方法としては、たとえば、常温（好ましくは５〜３０℃程度）の水道水を食器洗い機庫内に導入して調製される洗浄液を、所定の洗浄温度（洗浄時に循環する洗浄液の温度）まで昇温しながら洗浄対象物を洗浄する工程（以下「洗浄工程」という。）と、洗浄後の洗浄対象物を、常温の水道水ですすぐ工程（以下「すすぎ（１）工程」という。）と、常温の水道水を、好ましくは７０〜７５℃まで２〜３℃／分で昇温しながら、前記すすぎ（１）工程後の洗浄対象物をさらにすすぐ工程（以下「すすぎ（２）工程」という。）を有する方法が挙げられる。洗浄工程での洗浄時間は、１０〜４０分間が好ましい。
一般的な標準コースの場合、洗浄工程における洗浄温度が５５〜６５℃程度、昇温速度が２〜３℃／分程度である。低温コースは、例えば、洗浄温度が３５〜４５℃程度、昇温速度が１℃／分程度である。本発明の食器洗い機用洗浄剤組成物は、低温洗浄においても油汚れに対する洗浄力に優れ、例えば、洗浄温度が３５℃であっても、優れた洗浄力を発揮する。
いずれのコースにおいても、洗浄剤の１回の使用量は、液体状の洗浄剤の場合、水道水約３リットルに対して２〜９ｇとすることが好ましい。
【実施例】
【００３９】
以下に実施例を用いて本発明をさらに詳しく説明するが、本発明はこれら実施例に限定されるものではない。
【００４０】
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。（Ｃ）成分の含有量は無水の酸型としての含有量である。
以下に、表中に示した成分について説明する。
【００４１】
＜（Ａ）成分＞
・ａ−１：第２級アルカンスルホン酸ナトリウム（炭素数１４〜１７の２級アルカンスルホン酸ナトリウム、クラリアントジャパン社製、商品名「ＨＯＳＴＡＰＵＲ  ＳＡＳ  ３０Ａ」）。
・ａ−２：ポリオキシエチレン（平均３モル）ラウリルエーテル硫酸ナトリウム塩（ライオン・スペシャリティ・ケミカルズ社製、商品名：「サンノールＬＭＴ−１４３０」）。
・ａ−３：ジ（２−エチルヘキシル）スルホコハク酸ナトリウム（ライオン・スペシャリティ・ケミカルズ社製、商品名「リパール８７０Ｐ」）。
【００４２】
＜（Ｂ）成分＞
・ｂ−１：（Ｎ−（３−アミノプロピル）−Ｎ−ドデシルプロパン−１，３−ジアミン）（ロンザ社製、商品名「Ｌｏｎｚａｂａｃ１２．１００」、式（ｂ−１）中、Ｒ１が炭素数１２のアルキル基であり、ｎが３である化合物。
【００４３】
＜（Ｃ）成分＞
・ｃ−１：クエン酸（扶桑化学工業社製、商品名「精製クエン酸（無水）」）。
・ｃ−２：メチルグリシン二酢酸（ＢＡＳＦ社製、商品名「Ｔｏｒｉｌｏｎ  Ｍ」）。
・ｃ−３：Ｌ−グルタミン酸二酢酸塩（アクゾノーベル社製、商品名「ＧＬ−４７−・Ｓ」）。
・ｃ−４：エチレンジアミン四酢酸（東京化成工業社製、試薬）。
【００４４】
＜（Ｄ）成分＞
・ｄ１−１：Ｃ１８ジメチルアミノプロピルアミド（東邦化学社製、商品名「カチナールＭＰＡＳ」）；式（ｄ−１−１）中、Ｒ７が炭素数１５の直鎖のアルキル基である分子（Ｃ１６）と、Ｒ７＝炭素数１７の直鎖状のアルキル基である分子（Ｃ１８）と、の質量比でＣ１６：Ｃ１８＝３：７の混合物。Ｒ８が水素原子であり、Ｒ９がプロピレン基（（ＣＨ２）３）であり、Ｒ１０がメチル基であり、Ｒ１１がメチル基である化合物。
・ｄ１―２：３，３’−ジアミノ−Ｎ−メチルジプロピルアミン（東京化成工業株式会社、試薬）、式（ｄ−１）中、Ｒ２がメチル基であり、Ｒ３が３−アミノプロピル基であり、Ｒ４が３−アミノプロピル基である化合物。
・ｄ１−３：Ｎ−ヤシアルキルー１，３−ジアミノプロパン（ライオン・スペシャリティ・ケミカルズ社製、商品名「リポミンＤＡ−ＣＤ」）、式（ｄ−１）中、Ｒ２が水素原子であり、Ｒ３が３−アミノプロピル基であり、Ｒ４が炭素数１２〜１６の直鎖のアルキル基である化合物。
・ｄ２−１：ラウリルジメチルアミノ酢酸ベタイン、第一工業製薬社製、商品名「アミーゲンＳ」）、式（ｄ−２）中、Ｒ１２が炭素数１１の直鎖のアルキル基であり、Ｒ１３及びＲ１４はメチル基であり、Ａは−Ｃ＝Ｏ（−ＮＨ−Ｘ）−であり、Ｘはプロピレン基（（ＣＨ２）３）であり、ｐは１であり、Ｒ１５はメチレン基であり、Ｒ１６は−ＣＯ２−である化合物。
・ｄ３−１：ｎ−ドデシルジメチルアミンオキシド（ライオン・スペシャリティ・ケミカルズ社製、商品名「カデナックスＤＭ１２Ｄ−Ｗ（Ｃ）」）。
・ｄ４−１：塩化ジデシルジメチルアンモニウム（ロンザ社製、商品名「Ｂａｒｄａｃ２２８０Ｇ」）。
・ｄ４−２：塩化ジオクチルジメチルアンモニウム（ロンザ社製、商品名「ＢａｒｄａｃＬＦ−８０」）。
【００４５】
＜任意成分＞
・キサンタンガム（三晶社製、製品名ＫＥＬＺＡＮ  Ｔ）。
・ｐＨ調整剤：硫酸（関東化学社製）、水酸化ナトリウム：４８％水酸化ナトリウム（旭硝子株式会社製社製）、粒状水酸化ナトリウム（和光純薬工業社製）、水酸化カリウム：４８％水酸化カリウム（旭硝子社製）、粒状水酸化カリウム（和光純薬工業社製）。
【００４６】
＜食器洗い機用洗浄剤組成物の調製＞
表１〜４の組成に従い、溶媒としての水に、（Ａ）成分、（Ｂ）成分、（Ｃ）成分、（Ｄ）成分、任意成分、及びｐＨ調整剤を溶解することにより、各例の食器洗い機用洗浄剤組成物０．８ｋｇをそれぞれ調製した。
具体的には、１Ｌビーカー（直径１２ｃｍ）内に、キサンタンガムと水との合計量として組成物全体の５０質量％となるように投入した。ＨＥＩＤＯＮ  ＦＢＬ１２００スリーワンモーター（新東科学株式会社製）の撹拌機に直径７．５ｃｍ、幅１．５ｃｍ、角度４５度の４枚羽パドルを装備し、その後、内容物が飛び散らないように回転数４００〜９００ｒｐｍで撹拌し、未溶解分（ダマ）がなくなるまで撹拌を継続して高分子水溶液を得た。次いで（Ａ）成分と（Ｂ）成分とｐＨ調整剤（水酸化ナトリウムまたは硫酸）を添加し、混合液Ａを得た。
これとは別に、容量１Ｌビーカー（直径１２ｃｍ）内に、７５℃に調整した水と（Ｄ）成分とを添加して混合液Ｂを得た。
混合液Ａに、前記撹拌機の回転数を６５０ｒｐｍで撹拌しながら混合液Ｂを加えた。添加終了後、５分間撹拌し、混合液Ｃを得た。この混合液Ｃを２５℃まで冷却した後、（Ｃ）成分を添加した。さらに、表に示すｐＨ値となるように、ｐＨ調整剤を加えｐＨ７．０に調整した。組成物全体が１００質量％となるように残りの水を加え、前記撹拌機の回転数６５０ｒｐｍで１分間撹拌することにより食器洗い機用洗浄剤組成物を得た。
組成物のｐＨ（２５℃）は、２５℃に調整した組成物を、ガラス電極式ｐＨメーター（ＨＭ−３０Ｇ、東亜ディーケーケー社製）を用いて測定した。測定方法は、ＪＩＳ  Ｚ  ８８０２：１９８４「ｐＨ測定方法」に準拠して行った。
【００４７】
＜食器洗い機用洗浄剤の評価＞
各実施例及び比較例の組成物について、以下に示す評価方法によって各評価を行い、その結果を表に併記した。
食器洗い機として、自動食器洗い乾燥機（パナソニック社製、機種ＮＰ−４０ＳＸ２）を用いた。各評価において、洗浄処理は、該自動食器洗い乾燥機に設定されている標準コース（節電モード又は通常モード）で運転することにより行った。節電モードとは、通常モードと比較して、洗浄工程での水温が１５℃低く設定されている。該標準コース（節電モード）の内容を以下に示す。
・標準コース（節電モード）：
該自動食器洗い乾燥機に組成物２〜６ｇ（水道水３Ｌに対し）を投入した後、約５℃の水道水を庫内に導入して調製される洗浄液を４０℃まで２〜３℃／ｍｉｎで昇温しながら２０分間洗浄を行い、該洗浄液を排水する。次いで、新たな水道水を導入し、すすぎ（２分間／回）と排水との繰返し３回を行う。排水後、新たな水道水を導入し、７０℃まで２〜３℃／ｍｉｎで昇温しながらすすぎ１回（最終すすぎ）２０分間を行い、排水後、温風を循環させながら食器等を乾燥する。
・標準コース（通常モード）は、上記標準コース（節電モード）において、洗浄液を５５℃まで２〜３℃／ｍｉｎで昇温しながら２０分間洗浄を行う他の操作は、上記標準コース（節電モード）と同様である。
【００４８】
＜油汚れに対する洗浄力の評価＞
油汚れとして、牛脂／ラード／バター／サラダ油＝３／３／３／１（質量比）の混合油とレトルトカレー（ボンカレーゴールド２１辛口）とを用いた。
前記混合油３ｇ及び前記レトルトカレー６ｇをそれぞれ全体に付着させて汚染したポリプロピレン製弁当箱（縦１１０ｍｍ、横１７０ｍｍ、高さ３５ｍｍ）を、前記自動食器洗い乾燥機に装填し、組成物６ｇを投入して標準コース（節電モード）で洗浄処理を施した。
洗浄処理の後、ポリプロピレン製弁当箱の仕上がり具合を観察し、下記の評価基準に基づいて、油汚れに対する洗浄力を評価した。表に記載の評価点は洗浄処理３回の平均値を記載し、その値が３点以上であれば合格とした。
（評価基準）
４点：油汚れが完全に除去されていた。
３点：若干油汚れが残っていたが、洗い直す必要がないレベルであった。
２点：油汚れが残っており、洗い直す必要があるレベルであった。
１点：油汚れがべっとりと残っていた。
【００４９】
＜除菌力の評価＞
評価を行う前に、自動食器洗い乾燥機庫内を塩素系カビ取り剤で洗浄した。
財団法人ベターリビング協会認定基準性能試験方法（１９９５年１１月６日施行：食器洗い機）に準拠し、箸、ガラスコップ、湯飲み、皿（大、中、小）、汁椀などの食器に対してトマトジュース、牛乳、味噌汁、緑茶、米飯、生卵、カレー、市販トンカツソース、ハムエッグなどを付着させて汚垢食器を調製した。
次いで、該汚垢食器を、塩素系カビ取り剤で洗浄した後の自動食器洗い乾燥機に収納し、組成物２〜６ｇを投入し、標準コース（節電モード）で洗浄処理を施した。洗浄開始後の庫内の洗浄水が約６０℃に到達した時点で自動食器洗い乾燥機の扉を開放して庫内に残存した水を採取し、１０倍希釈系列希釈液を調製した。
各希釈液１．０ｍＬを滅菌シャーレに分注し、４５〜４８℃のＳＣＤ寒天培地を１５〜２０ｍＬ入れてよく攪拌した。シャーレのフタをして室温で放置し、培地が固まった後、シャーレを倒置し、温度３７±１℃で４０〜４８時間培養した。培養後、３０〜３００個のコロニーが現れた希釈系列のシャーレのコロニー数を測定し、下記式（Ｉ）より生菌数（Ｎ）を求めた。
生菌数（ｃｆｕ／ｍＬ）＝コロニー数×１０Ｍ×１０    ・・・（Ｉ）
式（Ｉ）中、「Ｍ」は採用したシャーレに分注した希釈系列希釈液の希釈回である。
別途、０．０５質量／容量％（ｗ／ｖ％）Ｔｗｅｅｎ８０水溶液（関東化学株式会社製、「ポリソルベート８０」）を滅菌したものを対照洗浄剤として用い、同様に洗浄処理を行い、細菌を抽出して１０倍希釈系列希釈液を調製し、コロニー数を測定して生菌数（Ｎ）を求めた。
食器洗い機用洗浄剤組成物で処理した場合の生菌数と、対照洗浄剤で処理した場合の生菌数の測定値から、活性値を下記式（ＩＩ）より算出し、下記の評価基準に基づき評価した。活性値が２以上を合格とした。
活性値＝ｌｏｇ１０Ｎ（対照洗浄剤で処理した場合の生菌数）−ｌｏｇ１０Ｎ（食器洗い機用洗浄剤組成物で処理した場合の生菌数）    ・・・（ＩＩ）
【００５０】
【表１】
2019182904.tif 000004
【００５１】
【表２】
2019182904.tif 000005
【００５２】
【表３】
2019182904.tif 000006
【００５３】
【表４】
2019182904.tif 000007
【００５４】
本発明を適用した実施例１〜３０は、油汚れに対する洗浄力、除菌力において優れていた。
Ｄ／Ｂ比が４００超の比較例１は、油汚れに対する洗浄力、除菌力において劣っていた。
Ｄ／Ｂ比が０．０５未満である比較例２は、油汚れに対する洗浄力、除菌力において劣っていた。
（Ｂ）成分を含有しない比較例３は、除菌力において劣っていた。
（Ｂ）成分の式（ｂ−１）中のＲ１が炭素数１のメチル基である（（Ｂ）成分を含有しない）比較例４は、除菌力において劣っていた。
（Ｃ）成分を含有しない比較例５は、除菌力において劣っていた。
（Ｂ）成分の代わりに（ｄ４）成分の四級アンモニウム塩型界面活性剤を含有する比較例６は除菌力において劣っていた。